(57)【要約】【課題】  画像表示システムの操作の利便性を高める。【解決手段】画像表示システムは、Ｎ個（Ｎは２以上の整数）の画像供給装置と、画像供給装置から供給される供給画像を表示する画像表示装置とを備える。画像表示装置は、供給画像を表示する第１の表示部を備える。Ｎ個の画像供給装置は、それぞれに、第１の表示部の表示内容を第１の表示部と同期して表示する第１の表示領域を含む画像を表示する第２の表示部と、利用者の操作に従って、画像供給装置自身が保持する複数のコンテンツの中から第１の表示部に表示すべき表示コンテンツを選択するコンテンツ選択部と、を備える。画像表示装置は、Ｎ個の画像供給装置のうちのＭ個（Ｍは２以上Ｎ以下の整数）において選択されている表示コンテンツを含む表示画像を前記第１の表示部に表示する。【選択図】図４
2010026053.tif 000002
【特許請求の範囲】
【請求項１】
Ｎ個（Ｎは２以上の整数）の画像供給装置と、前記画像供給装置から供給される供給画像を表示する画像表示装置と、を備える画像表示システムであって、
前記Ｎ個の画像供給装置は、それぞれに、
前記画像表示装置の表示内容を前記画像表示装置と同期して表示する第１の表示領域を含む画像を表示する表示部と、
利用者の操作に従って、前記画像供給装置自身が保持する複数のコンテンツの中から前記画像表示装置に表示すべき表示コンテンツを選択するコンテンツ選択部と、
を備え、
前記画像表示装置は、前記Ｎ個の画像供給装置のうちのＭ個（Ｍは２以上Ｎ以下の整数）において選択されている前記表示コンテンツを含む表示画像を表示する、画像表示システム。
【請求項２】
請求項１に記載の画像表示システムであって、
前記表示部は、前記第１の表示領域に加えて、前記画像供給装置自身が保持する複数のコンテンツを表示する第２の表示領域を含む画像を表示し、
前記コンテンツ選択部は、前記第２の表示領域に対する操作を含む前記利用者の操作に従って、前記表示コンテンツを選択する、画像表示システム。
【請求項３】
請求項１に記載の画像表示システムであって、
複数の前記表示コンテンツが選択されている場合には、前記第２の表示領域および前記画像表示装置の表示領域は、複数の分割領域に分割され、各分割領域に各表示コンテンツが表示される、画像表示システム。
【請求項４】
請求項２に記載の画像表示システムであって、
前記利用者の操作は、前記第２の表示領域において前記表示コンテンツを選択する操作と、前記第１の表示領域内の位置を指定する操作を含み、
前記第１の表示部は、第１の表示領域内の指定された位置に対応する前記第１の表示部内の位置に、前記選択された表示コンテンツを表示する、画像表示システム。
【請求項５】
請求項１ないし請求項４のいずれかに記載の画像表示システムであって、
前記第１の表示部に表示されている前記表示コンテンツは、該表示コンテンツを選択している前記画像供給装置において編集可能である、画像表示システム。
【請求項６】
請求項１ないし請求項５のいずれかに記載の画像表示システムであって、
前記Ｎ個の画像供給装置は、さらに、それぞれに、前記第１の表示領域に対する操作を含む利用者の操作に従って、前記選択されている表示コンテンツの選択を解除するコンテンツ選択解除部を備え、
前記画像表示装置は、前記選択が解除されたときに、前記選択が解除された前記表示コンテンツの前記第１の表示部への表示を消去する、画像表示システム。
【請求項７】
Ｎ個（Ｎは２以上の整数）の画像供給装置から供給される供給画像を表示する画像表示装置であって、
Ｎ個の前記画像供給装置のうちのＭ個（Ｍは２以上Ｎ以下の整数）において選択されている前記表示コンテンツの画像を前記Ｍ個の画像供給装置から取得する画像取得部と、
前記取得された前記表示コンテンツの画像を含む表示画像を生成する画像生成部と、
を備え、
前記生成された表示画像を表示する、画像表示装置。
【請求項８】
第１の表示部を有する画像表示装置に前記第１の表示部に表示すべき画像を供給する画像供給装置であって、
前記第１の表示部の表示内容を前記第１の表示部と同期して表示する第１の表示領域を含む画像を表示する第２の表示部と、
利用者の操作に従って、前記画像供給装置自身が保持する複数のコンテンツの中から前記第１の表示部に表示すべき表示コンテンツを選択するコンテンツ選択部と、
前記選択されている前記表示コンテンツを含む表示画像を前記画像表示装置に供給する画像供給部と、
を備える、画像供給装置。
【請求項９】
Ｎ個（Ｎは２以上の整数）の画像供給装置から供給される供給画像を画像表示装置に表示する画像表示方法であって、
前記Ｎ個の画像供給装置は、それぞれに、
前記第１の表示部の表示内容を前記第１の表示部と同期して前記画像供給装置が有する第２の表示部の第１の表示領域に表示し、
利用者の操作に従って、前記画像供給装置自身が保持する複数のコンテンツの中から前記第１の表示部に表示すべき表示コンテンツを選択し、
前記画像表示装置は、前記Ｎ個の画像供給装置のうちのＭ個（Ｍは２以上Ｎ以下の整数）において選択されている前記表示コンテンツを含む表示画像を表示する、画像表示方法。
【請求項１０】
Ｎ個（Ｎは２以上の整数）の画像供給装置から供給される供給画像を第１の表示部に表示する画像表示装置のためのコンピュータプログラムであって、
前記Ｎ個の画像供給装置のうちのＭ個（Ｍは２以上Ｎ以下の整数）において選択されている前記表示コンテンツの画像を取得する機能と、
前記取得された複数の前記表示コンテンツを含む表示画像を生成する機能と、
前記生成された表示画像を前記第１の表示部に表示する機能と、
を前記画像表示装置が有するコンピュータに実現させる、コンピュータプログラム。
【請求項１１】
第１の表示部を有する画像表示装置に前記第１の表示部に表示すべき画像を供給する画像供給装置のためのコンピュータプログラムであって、
前記第１の表示部の表示内容を前記第１の表示部と同期して表示する第１の表示領域、を含む画像を表示する機能と、
利用者の操作に従って、前記画像供給装置自身が保持する複数のコンテンツの中から前記第１の表示部に表示すべき表示コンテンツを選択する機能と、
前記選択されている前記表示コンテンツを含む表示画像を前記画像表示装置に供給する機能と、
を前記画像供給装置が有するコンピュータに実現させる、コンピュータプログラム。
【発明の詳細な説明】
【技術分野】
【０００１】
本発明は、画像供給装置と画像表示装置における画像表示制御に関する。
【背景技術】
【０００２】
プレゼンテーションを行う場合、表示装置に表示された全画面ではなく特定のウィンドウの画面のみを外部モニタに表示したい場合がある。これに対し、表示装置上に表示されている複数のウィンドウの中から、マウスポインタによって選択されたウィンドウの画像のみを外部モニタに出力させる技術が知られている（特許文献１）。
【０００３】
【特許文献１】特開２０００−３３９１３０号公報
【発明の開示】
【発明が解決しようとする課題】
【０００４】
しかし、従来は、複数の画像供給装置が画像表示装置に同時に接続することが考慮されておらず、複数の画像供給装置が画像表示装置に同時に接続する場合における操作性の向上が求められていた。
【０００５】
本発明は上記課題の少なくとも１つを解決し、画像表示システムにおける操作の利便性を高めることを目的とする。
【課題を解決するための手段】
【０００６】
本発明は、上述の課題の少なくとも一部を解決するためになされたものであり、以下の形態または適用例として実現することが可能である。
【０００７】
［適用例１］Ｎ個（Ｎは２以上の整数）の画像供給装置と、前記画像供給装置から供給される供給画像を表示する画像表示装置と、を備える画像表示システムであって、前記Ｎ個の画像供給装置は、それぞれに、前記画像表示装置の表示内容を前記画像表示装置と同期して表示する第１の表示領域を含む画像を表示する第２の表示部と、利用者の操作に従って、前記画像供給装置自身が保持する複数のコンテンツの中から前記画像表示装置に表示すべき表示コンテンツを選択するコンテンツ選択部と、を備え、前記画像表示装置は、前記Ｎ個の画像供給装置のうちのＭ個（Ｍは２以上Ｎ以下の整数）において選択されている前記表示コンテンツを含む表示画像を表示する、画像表示システム。
こうすれば、画像供給装置は、画像表示装置の表示内容を同期して表示し、画像表示装置は、複数の画像供給装置の表示コンテンツを第１の表示部に表示するので、画像表示システムの利便性が向上する。
【０００８】
［適用例２］適用例１に記載の画像表示システムであって、前記表示部は、前記第１の表示領域に加えて、前記画像供給装置自身が保持する複数のコンテンツを表示する第２の表示領域を含む画像を表示し、前記コンテンツ選択部は、前記第２の表示領域に対する操作を含む前記利用者の操作に従って、前記表示コンテンツを選択する、画像表示システム。
こうすれば、第２の表示領域に対する操作を含む操作によって、表示コンテンツを容易に選択できるので、画像表示システムの利便性がさらに向上する。
【０００９】
［適用例３］適用例１に記載の画像表示システムであって、複数の前記表示コンテンツが選択されている場合には、前記第２の表示領域および前記画像表示装置の表示領域は、複数の分割領域に分割され、各分割領域に各表示コンテンツが表示される、画像表示システム。
こうすれば、複数の表示コンテンツを容易に表示することができる。
【００１０】
［適用例４］適用例２に記載の画像表示システムであって、前記利用者の操作は、前記第２の表示領域において前記表示コンテンツを選択する操作と、前記第１の表示領域内の位置を指定する操作を含み、前記第１の表示部は、第１の表示領域内の指定された位置に対応する前記第１の表示部内の位置に、前記選択された表示コンテンツを表示する、画像表示システム。
こうすれば、利用者は、より容易な操作で、表示コンテンツを選択することができる。
【００１１】
［適用例５］適用例１ないし適用例４のいずれかに記載の画像表示システムであって、前記第１の表示部に表示されている前記、該表示コンテンツを選択している前記画像供給装置において編集可能である、画像表示システム。
こうすれば、画像供給装置において表示されている表示コンテンツを編集することができるので、より利用者の利便性を向上することができる。
【００１２】
［適用例６］適用例１ないし適用例５のいずれかに記載の画像表示システムであって、前記Ｎ個の画像供給装置は、さらに、それぞれに、前記第１の表示領域に対する操作を含む利用者の操作に従って、前記選択されている表示コンテンツの選択を解除するコンテンツ選択解除部を備え、前記画像表示装置は、前記選択が解除されたときに、前記選択が解除された前記表示コンテンツの前記第１の表示部への表示を消去する、画像表示システム。
こうすれば、コンテンツの表示の解除を実行できるので、より利用者の利便性を向上することができる。
【００１３】
なお、本発明は、種々の形態で実現することが可能であり、例えば、画像表示装置、画像供給装置の他、画像表示方法、コンピュータプログラム、当該コンピュータプログラムを格納した記憶媒体等、様々な形態で実現することができる。
【発明を実施するための最良の形態】
【００１４】
Ａ．第１実施例
・画像表示システムの構成
図１は、第１実施例における画像表示システムの概略構成を示す説明図である。画像表示システム１は、２つの画像供給装置１００ａ、１００ｂおよび画像表示装置２００を備えている。２つの画像供給装置１００ａ、１００ｂは、それぞれ、画像表示装置２００と、無線ローカルエリアネットワーク（ＬＡＮ）を介して接続されている。画像供給装置１００ａ、１００ｂと画像表示装置２００とは、他の接続方法で接続されても良く、例えば、ユニバーサルシルアルバス（ＵＳＢ）ケーブルを介して接続されても良い。
【００１５】
・画像供給装置の構成：
図２は、第１実施例における画像供給装置の内部構成を模式的に示すブロック図である。２つの画像供給装置１００ａ、１００ｂの内部構成は、同一であるので、末尾の符号を省略した画像供給装置１００の構成として説明する。画像供給装置１００は、例えば、一般的にノートパソコンである。画像供給装置１００は、中央処理装置（ＣＰＵ）１１０と、ハードディスクドライブ（ＨＤ）１２０と、描画用メモリ（ＶＲＡＭ）１３０と、ランダムアクセスメモリ（ＲＡＭ）１４０と、キーボードやタッチパッドなどの操作部１５０と、液晶ディスプレイなどの表示部１６０と、無線ＬＡＮインターフェース（ＩＦ）１７０とを備えている。これらの各構成要素１１０〜１７０は、共通のバス１８０を介して双方向通信可能に接続されている。なお、ＨＤ１２０に代えて、不揮発性の半導体メモリが備えられても良い。
【００１６】
ＣＰＵ１１０は、各種演算処理を実行する論理回路であり、例えば、ＨＤ１２０に格納されている各種プログラム、モジュールをＲＡＭ１４０に展開して実行する。ＲＡＭ１４０は揮発性のメモリであり、ＣＰＵ１１０の演算結果、画像表示装置２００に供給する表示画像のデータを一時的に格納する。ＶＲＡＭ１３０は、データに基づいて描画された表示画像のデータを展開し、一時的にバッファしておくためのメモリであり、一般的に、ＲＡＭ１４０よりも高速なデータの読み書きが可能である。無線ＬＡＮ／ＩＦ１７０は、画像供給装置１００と外部機器、例えば、画像表示装置２００との間で、無線によって信号をやりとりする。無線に代えて、有線のインターフェース、例えば、ＵＳＢインターフェースを備えていても良い。
【００１７】
ＨＤ１２０は、画像供給プログラムＰ１と、コンテンツ用プログラムＰ２〜Ｐ４と、コンテンツファイルＦ１〜Ｆ３を格納している。コンテンツ用プログラムとして、本実施例では、ワープロプログラムＰ２と、メールプログラムＰ３と、表計算プログラムＰ４が格納されているが、これらのコンテンツプログラムの種類や数は任意のものが用いられ得る。コンテンツファイルＦ１〜Ｆ３は、コンテンツ用プログラムＰ２〜Ｐ４を用いて作成、および／または表示がなされるファイルである。例えば、コンテンツファイルは、ワープロプログラムＰ２を用いて作成および表示がなされる文書ファイル、メールプログラムＰ３を用いて作成および表示がなされるメールファイル、表計算プログラムＰ４を用いて作成および表示がなされる表計算ファイルなどである。また、これらに代えて、ビューワプログラムを用いて表示される静止画ファイルや動画ファイル、プレゼンプログラムを用いて作成および／または表示されるプレゼンファイルなどが用いられ得る。
【００１８】
画像供給プログラムＰ１は、第１領域表示モジュールＭ１と、第２領域表示モジュールＭ２と、コンテンツ選択モジュールＭ３と、コンテンツ選択解除モジュールＭ４と、表示画像供給モジュールＭ５とを含んでいる。なお、各モジュールは、ＣＰＵ１１０によって実行されることによって各種機能を実現する。
【００１９】
第１領域表示モジュールＭ１は、後述するプロジェクタ操作画面の第１領域に、後述するプロジェクタ投影画像の表示内容を、プロジェクタ投影画像と同期して表示する。第２領域表示モジュールＭ２は、後述するプロジェクタ操作画面の第２領域に、画像供給装置１００自身が保持する複数のコンテンツを表示する。コンテンツ選択モジュールＭ３は、第２領域に表示された画像供給装置１００自身が保持する複数のコンテンツの中からプロジェクタ投影画像に表示すべき表示コンテンツを選択する。表示コンテンツの選択は、利用者の操作に従って行われる。コンテンツ選択解除モジュールＭ４は、選択されている表示コンテンツ（プロジェクタ投影画像に表示されている表示コンテンツ）の選択を利用者の操作に従って解除する。解除された表示コンテンツは、プロジェクタ投影画像から消去される。表示画像供給モジュールＭ５は、選択されている表示コンテンツの画像を画像表示装置２００に供給（送信）する。
【００２０】
画像供給プログラムＰ１は、画像表示装置２００において表示されるべき画像のデータを、画像表示装置２００に供給するためのプログラムである。より具体的には、本実施例における画像供給プログラムＰ１は、画像供給装置１００の表示部１６０に表示されている複数のコンテンツを各コンテンツ単位にて、画像表示装置２００に供給することができる。ここで、コンテンツとは、コンテンツ用プログラム（アプリケーション）単位にて提供される表示画面であり、ワープロプログラムＰ２における文書作成画面、メールプログラムＰ３におけるメール作成画面、表計算プログラムＰ４における表計算ファイル作成画面、プレゼンプログラムにおけるプレゼンテーション画面、動画コンテンツを再生する再生画面、静止画像の編集画面・表示画面を含む。また、画像供給装置１００の表示部１６０の背景として表示されている、いわゆるデスクトップ画面もコンテンツに含まれる。なお、これらコンテンツは、例えば、ウィンドウズ（登録商標）をオペレーティングシステムとする場合、ウィンドウと呼ばれているので、以下では、「ウィンドウ」とも呼ぶ。
【００２１】
・画像表示装置の構成：
図３は、第１実施例における画像表示装置の内部構成を模式的に示すブロック図である。本実施例における画像表示装置２００は、プロジェクタである。画像表示装置２００は、ＣＰＵ２１０と、不揮発性メモリ（本実施例では、ＥＰＲＯＭ（Erasable Programmable Read Only Memory））３２０と、ＶＲＡＭ２３０と、ＲＡＭ２４０と、操作ボタン、タッチパネルなどの操作部２５０と、画像表示部２６０と、光学系２７０と、無線ＬＡＮ／ＩＦ２８０と、を備えている。これらの構成要素２１０〜２８０は、共通のバス２９０を介して双方向通信可能に接続されている。ＥＰＲＯＭ３２０に代えて、磁気ディスク式記憶装置が用いられても良い。
【００２２】
ＣＰＵ２１０は、各種演算処理を実行する論理回路であり、例えば、ＥＰＲＯＭ２２０に格納されている各種プログラム、モジュールをＲＡＭ２４０に展開して実行する。ＲＡＭ２４０は揮発性のメモリであり、ＣＰＵ２１０の演算結果を一時的に格納する。ＶＲＡＭ３３０は、画像表示部２６０に供給する画像データを、一時的にバッファしておくためのメモリである。画像表示部３４０は、ＶＲＡＭ２３０に格納されている画像データを用いて投射用の画像を生成するために用いられる。画像表示部２６０としては、例えば、ＲＧＢ光源からの光を、液晶パネルを用いて変調する装置、デジタル・マイクロミラー・デバイス（ＤＭＤ）を用いて変調する装置が用いられ得る。光学系２７０は、複数のレンズから構成され、画像表示部２６０において生成された画像を所望の大きさにて投射面に投射するために用いられる。無線ＬＡＮ／ＩＦ２８０は、画像表示装置２００と外部機器、例えば、画像供給装置１００との間で、無線によって信号をやりとりする。無線に代えて、有線のインターフェース、例えば、ＵＳＢインターフェースを備えていても良い。
【００２３】
ＥＰＲＯＭ２２０は、画像表示装置２００を制御するための制御プログラムＰ２０を格納している。制御プログラムＰ２０は、画像表示装置２００を制御するための様々な機能を含んでいるが、ここでは、本実施例の説明に必要な機能の選択的に図示している。制御プログラムＰ２０は、画像取得モジュールＭ２１と、表示画像生成モジュールＭ２２と、表示画像出力モジュールＭ２３と、を備えている。なお、各モジュールは、ＣＰＵ１１０によって実行されることによって各種機能を実現する。
【００２４】
画像取得モジュールＭ２１は、画像供給装置１００から後述するプロジェクタ投影画像に表示すべき表示コンテンツの画像を取得する。表示画像生成モジュールＭ２２は、取得された表示コンテンツの画像を含むプロジェクタ投影画像の画像データを生成する。表示画像出力モジュールＭ２３は、生成された画像データに基づき、画像表示部２６０に表示画像を表示する。
【００２５】
・画像表示システムの動作：
図４は、画像表示システムの動作時に表示される画像の概略を示す図である。図４（ａ）は、画像表示システム１の動作中に、画像供給装置１００の表示部１６０に表示される画像（以下、プロジェクタ操作画面とも呼ぶ。）を示している。図４（ｂ）は、画像表示システム１の動作中に、画像表示装置２００の画像表示部２６０に表示される画像、すなわち、画像表示部２６０、光学系２７０を介して、スクリーンＳＣに投影される画像（以下、プロジェクタ投影画像とも呼ぶ。）を示している。
【００２６】
プロジェクタ操作画面は、画像供給装置１００において、画像供給プログラムＰ１を起動すると表示される画面である。プロジェクタ操作画面には、第１領域ＳＳと、第２領域ＰＳとが表示される。第１領域ＳＳは、プロジェクタ投影画像に表示されている表示内容を、プロジェクタ投影画像と同期して表示する領域である。第２領域ＰＳは、画像供給装置１００の通常時（画像供給プログラムＰ１を起動していないとき）のデスクトップの画像を縮小表示する領域である。第２領域ＰＳには、通常時のデスクトップ画面と同様に、起動しているアプリケーション（例えば、ワープロプログラムＰ２やメールプログラムＰ３）のコンテンツＷＰが表示される。第１領域ＳＳには、プロジェクタ投影画像（図４（ｂ））と、基本的に同一の内容が表示される。第１領域ＳＳは、複数の領域に分割して、分割された領域ごとに、それぞれコンテンツが表示される。以下では、第１領域ＳＳおよびプロジェクタ投影画像に表示されているコンテンツを表示コンテンツとも呼ぶ。本実施例では、第１領域ＳＳおよびプロジェクタ投影画像は、２つの表示領域に分割可能である。
【００２７】
第１領域ＳＳに表示される内容と、プロジェクタ投影画像とに表示される画像とが異なる点は、プロジェクタ投影画像では、全ての画像が鮮明に表示されるのに対して、第１領域ＳＳでは、分割された表示領域にそれぞれ表示された表示コンテンツＷ１、Ｗ２のうち、第１領域ＳＳが表示されている画像供給装置１００自身が保持するコンテンツを表示している表示コンテンツは、鮮明に表示されるのに対し、他の画像供給装置１００のコンテンツを表示している表示コンテンツは、自身が保持するコンテンツを表示している表示コンテンツと利用者が区別できる態様で、例えば、グレーダウン、あるいは、半透明状に表示される。以下では、図４における表示コンテンツＷ１のように、グレーダウン、あるいは、半透明状に表示されている表示コンテンツは、破線で示すものとする。
【００２８】
以上の説明からも解るように、本実施例における画像表示システム１では、複数の画像供給装置１００、すなわち、第１の画像供給装置１００ａと第２の画像供給装置１００ｂ（図１）とから、それぞれ、独立して画像表示装置２００に供給されたコンテンツの画面を表示コンテンツとして、同時にプロジェクタ投影画像に表示することができる。例えば、第１の画像供給装置１００ａから１つの表示コンテンツの画像が画像表示装置２００に供給され、同時に第２の画像供給装置１００ｂから１つの表示コンテンツの画像が画像表示装置２００に供給されている場合、画像表示装置２００は、例えば、第１の画像供給装置１００ａから供給された表示コンテンツの画像をプロジェクタ投影画像の分割された表示領域の一方に表示し、第２の画像供給装置１００ｂから供給された表示コンテンツの画像をプロジェクタ投影画像の分割された表示領域の他方に表示する。
【００２９】
画像表示装置２００は、第１の画像供給装置１００ａから供給された表示コンテンツの画像を第２の画像供給装置１００ｂに転送し、第２の画像供給装置１００ｂから供給された表示コンテンツの画像を第２の画像供給装置１００ｂに転送する。こうすることにより、第１の画像供給装置１００ａは、プロジェクタ投影画像と同期した画像を、第２の画像供給装置１００ｂが保持するコンテンツの画像も含めて、第１の画像供給装置１００ａの表示部１６０ａの第１領域ＳＳに表示することができる。同様にして、第２の画像供給装置１００ｂは、プロジェクタ投影画像と同期した画像を、第１の画像供給装置１００ａが保持するコンテンツの画像も含めて、第２の画像供給装置１００ｂの表示部１６０ｂの第１領域ＳＳに表示することができる。
【００３０】
図５は、プロジェクタ操作画面を用いた画像表示システム１の操作について説明する第１の図である。以下では、基本的に、第１の画像供給装置１００ａを用いた画像表示システム１の操作を例として説明する。以下では、第１の画像供給装置１００ａの表示部１６０ａに表示される第１領域ＳＳ、第２領域ＰＳには、符号の末尾に「ａ」を付し、第２の画像供給装置１００ｂの表示部１６０ｂに表示される第１領域ＳＳ、第２領域ＰＳには、符号の末尾に「ｂ」を付す。
【００３１】
図５（Ａ）は、第２の画像供給装置１００ｂの表示部１６０ａに表示された位置指定アイコン（例えば、マウスカーソル、以下では、カーソルと呼ぶ。）ＡＡａが、第１領域ＳＳａ上にも、第２領域ＰＳａ上にもない状態におけるプロジェクタ操作画面を示している。この状態からカーソルＡＡａを第１領域ＳＳａ上に移動させると、第２領域ＰＳａが小さく表示され、第１領域ＳＳａが相対的に強調表示される（図５（Ｂ））。一方、カーソルＡＡａを第２領域ＰＳａ上に移動させると、第２領域ＰＳａが大きく強調表示される（図５（Ｃ））。
【００３２】
図６は、プロジェクタ操作画面を用いた画像表示システム１の操作について説明する第２の図である。プロジェクタ操作画面において、第２領域ＰＳａ上に２つのコンテンツ（ウィンドウ）ＷＰ１、ＷＰ２が表示され、第１領域ＳＳａには表示コンテンツが表示されていない状態（図６（Ａ））で、利用者がカーソルＡＡａを操作して、第２領域ＰＳａ上のコンテンツＷＰ２をドラッグして（図６（Ｂ））、第１領域ＳＳａ上にドロップした（図６（Ｃ））とする。そうすると、第２領域ＰＳａに表示されていたコンテンツＷＰ２は消去され、コンテンツＷＰ２は、表示コンテンツＷ１として、第１領域ＳＳａに表示される（図６（Ｄ））。このとき、第１の画像供給装置１００ａの第１領域ＳＳａと、プロジェクタ投影画像、および、第２の画像供給装置１００ｂの第１領域ＳＳｂとは、常に同期して同様の内容を表示する。すなわち、プロジェクタ投影画像には、第１の画像供給装置１００ａの第１領域ＳＳａ同様に、コンテンツＷＰ２が表示コンテンツとして表示される。また、第２の画像供給装置１００ｂの第１領域ＳＳａには、コンテンツＷＰ２がグレーダウンまたは半透明状に表示コンテンツとして表示される。
【００３３】
図７は、プロジェクタ操作画面を用いた画像表示システム１の操作について説明する第３の図である。プロジェクタ操作画面において、第２領域ＰＳａ上にコンテンツＷＰ１が表示され、第１領域ＳＳａには１つの表示コンテンツＷ１が表示されている状態（図７（Ａ））で、利用者がカーソルＡＡａを操作して、第２領域ＰＳａ上のコンテンツＷＰ１をドラッグして（図７（Ｂ））、第１領域ＳＳａ上の中心より右側にドロップした（図７（Ｃ））とする。そうすると、第２領域ＰＳａに表示されていたコンテンツＷＰ１は消去され、コンテンツＷＰ１は、既に表示されている表示コンテンツＷ１の右側に、別の表示コンテンツＷ２として、第１領域ＳＳａに表示される（図７（Ｄ））。第１領域ＳＳａは、２つの表示コンテンツＷ１およびＷ２を同時に表示する場合には、上述したように、２つの領域に左右に等分割される。このとき、第１の画像供給装置１００ａの第１領域ＳＳａと、プロジェクタ投影画像、および、第２の画像供給装置１００ｂの第１領域ＳＳｂとは、常に同期して同様の内容を表示する。すなわち、プロジェクタ投影画像には、第１の画像供給装置１００ａの第１領域ＳＳａ同様に、２つの表示コンテンツＷ１、Ｗ２が表示される。また、第２の画像供給装置１００ｂの第１領域ＳＳａには、２つの表示コンテンツＷ１、Ｗ２がグレーダウンまたは半透明状に表示される。
【００３４】
図８は、プロジェクタ操作画面を用いた画像表示システム１の操作について説明する第４の図である。プロジェクタ操作画面において、第１領域ＳＳａには表示コンテンツＷ１、Ｗ２が表示されている状態（図８（Ａ））で、利用者がカーソルＡＡａを操作して、第１領域ＳＳａ上の表示コンテンツＷ２をドラッグして（図８（Ａ））、第２領域ＰＳａ上にドロップした（図８（Ｂ））とする。そうすると、第１領域ＳＳａに表示されていた表示コンテンツＷ２は消去され、第２領域ＰＳａに表示コンテンツＷ２の内容のコンテンツＷＰ２が表示される（図８（Ｃ））。第１領域ＳＳａは、２つの表示コンテンツＷ１およびＷ２を同時に表示する状態から、１つの表示コンテンツＷ１のみを表示する状態になる。このような場合は、第１領域ＳＳａの分割が解消され、第１領域ＳＳａ全体に表示コンテンツＷ１が表示される。このとき、第１の画像供給装置１００ａの第１領域ＳＳａと、プロジェクタ投影画像、および、第２の画像供給装置１００ｂの第１領域ＳＳｂとは、常に同期して同様の内容を表示する。すなわち、プロジェクタ投影画像には、第１の画像供給装置１００ａの第１領域ＳＳａ同様に、１つの表示コンテンツＷ１が表示される。また、第２の画像供給装置１００ｂの第１領域ＳＳａには、１つの表示コンテンツＷ１がグレーダウンまたは半透明状に表示される。
【００３５】
図９は、プロジェクタ操作画面を用いた画像表示システム１の操作について説明する第５の図である。プロジェクタ操作画面において、第１領域ＳＳａに表示コンテンツＷ１、Ｗ２が表示されている状態（図９（Ａ））で、利用者がカーソルＡＡａを操作して、第１領域ＳＳａ上の表示コンテンツＷ２の右上隅にあるクローズボタン（表示コンテンツの消去を指示する操作のためのボタン）をクリックする（図９（Ａ））と、第１領域ＳＳａに表示されていた表示コンテンツＷ２について保存するか否かを問い合わせるメッセージが表示される（図９（Ｂ））。ここで、利用者が肯定的な選択（「はい」をクリックする。）を実行すると、第１領域ＳＳａは、２つの表示コンテンツＷ１およびＷ２を同時に表示する状態から、１つの表示コンテンツＷ１のみを表示する状態になる（図９（Ｃ））。すなわち、第１領域ＳＳａ上から表示コンテンツＷ１は消去される。このような場合は、第１領域ＳＳａの分割が解消され、第１領域ＳＳａ全体に表示コンテンツＷ１が表示される。そして、表示コンテンツＷ１の内容を記録したファイルが生成され、第２領域ＰＳａに、当該ファイルを表すアイコンファイルＦＩが表示される（図９（Ｃ））。このとき、第１の画像供給装置１００ａの第１領域ＳＳａと、プロジェクタ投影画像、および、第２の画像供給装置１００ｂの第１領域ＳＳｂとは、常に同期して同様の内容を表示する。すなわち、プロジェクタ投影画像には、第１の画像供給装置１００ａの第１領域ＳＳａ同様に、１つの表示コンテンツＷ１が表示される。また、第２の画像供給装置１００ｂの第１領域ＳＳａには、１つの表示コンテンツＷ１がグレーダウンまたは半透明状に表示される。
【００３６】
図１０は、プロジェクタ操作画面を用いた画像表示システム１の操作について説明する第６の図である。第２の画像供給装置１００ｂのコンテンツを表示コンテンツとして追加する場合について説明する。第２の画像供給装置１００ｂのプロジェクタ操作画面において、第２領域ＰＳｂ上にコンテンツＷＰ３が表示され、第１領域ＳＳｂには第１の画像供給装置１００ａの１つの表示コンテンツＷ１がグレーダウンまたは半透明状に表示されている状態（図１０（Ａ））で、利用者がカーソルＡＡｂを操作して、第２領域ＰＳｂ上のコンテンツＷＰ３をドラッグして（図１０（Ａ））、第１領域ＳＳｂ上の中心より右側にドロップした（図１０（Ｂ））とする。そうすると、第２領域ＰＳｂに表示されていたコンテンツＷＰ３は消去され、コンテンツＷＰ３は、既に表示されている表示コンテンツＷ１の右側に、別の表示コンテンツＷ２として、第１領域ＳＳｂに表示される（図７（Ｃ））。第２の画像供給装置１００ｂの第１領域ＳＳｂには、表示コンテンツＷ１が第１の画像供給装置１００ａの表示コンテンツとしてグレーダウンまたは半透明状に表示されると共に、表示コンテンツＷ２が第２の画像供給装置１００ｂの表示コンテンツとして鮮明に表示される。このとき、第１の画像供給装置１００ａの第１領域ＳＳａと、プロジェクタ投影画像、および、第２の画像供給装置１００ｂの第１領域ＳＳｂとは、常に同期して同様の内容を表示する。すなわち、プロジェクタ投影画像には、２つの表示コンテンツＷ１、Ｗ２が共に鮮明に表示される。また、第１の画像供給装置１００ａの第１領域ＳＳａには、表示コンテンツＷ１が鮮明に、表示コンテンツＷ２がグレーダウンまたは半透明状に表示される。
【００３７】
図１１は、プロジェクタ操作画面を用いた画像表示システム１の操作について説明する第７の図である。プロジェクタ操作画面において、第１領域ＳＳａに、２つ表示コンテンツＷ１、Ｗ２が表示されている状態（図１１（Ａ））で、利用者がカーソルＡＡａを操作して、一方の表示コンテンツ（図１１の例では、表示コンテンツＷ１）をドラッグして（図１１（Ａ））、第１領域ＳＳａ上の他方の表示コンテンツ（図１１の例では、表示コンテンツＷ２）上にドロップした（図７（Ｂ））とする。そうすると、第１領域ＳＳａにおいて、表示コンテンツＷ１と表示コンテンツＷ２の表示位置が入れ替わる。このとき、第１の画像供給装置１００ａの第１領域ＳＳａと、プロジェクタ投影画像、および、第２の画像供給装置１００ｂの第１領域ＳＳｂとは、常に同期して同様の内容を表示する。すなわち、第１の画像供給装置１００ａの第１領域ＳＳａ同様に、プロジェクタ投影画像および第２の画像供給装置１００ｂの第１領域ＳＳａでは２つの表示コンテンツＷ１、Ｗ２の表示位置が入れ替わる。
【００３８】
図１２は、プロジェクタ操作画面を用いた画像表示システム１の操作について説明する第８の図である。第１の画像供給装置１００ａのプロジェクタ操作画面の第１領域ＳＳａでは、第１の画像供給装置１００ａ自身が選択した表示コンテンツ（鮮明に表示されている表示コンテンツ）については、通常のアプリケーション起動時のコンテンツと同様に、内容の追加や削除などの編集を行うことができる。一方、第１の画像供給装置１００ａのプロジェクタ操作画面の第１領域ＳＳａでは、他の画像供給装置１００（例えば、第２の画像供給装置１００ｂ）が選択した表示コンテンツ（グレーダウンまたは半透明に表示されている表示コンテンツ）については、編集を行うことができない。第２の画像供給装置１００ｂにおいても同様である。
【００３９】
図１３は、プロジェクタ操作画面を用いた画像表示システム１の操作について説明する第９の図である。本実施例では、プロジェクタ投影画像および第１領域ＳＳａに表示可能な表示コンテンツの数は２つまでである。既に２つの表示コンテンツＷ１、Ｗ２が第１領域ＳＳａおよびプロジェクタ投影画像に表示されている場合、第１の画像供給装置１００ａのプロジェクタ操作画面では、第１の画像供給装置１００ａ自身が選択した表示コンテンツ（鮮明に表示されている表示コンテンツ）については、第２領域ＰＳに表示されているコンテンツと入れ替えることができる。例えば、第１領域ＳＳａに第１の画像供給装置１００ａ自身が選択した表示コンテンツＷ２と、他の画像供給装置（例えば、第２の画像供給装置１００ｂ）が選択した表示コンテンツＷ１とが表示されているとする（図１３（Ａ））。この状態から、利用者がカーソルＡＡａを操作して、第２領域ＰＳａ上のコンテンツＷＰ２をドラッグして（図１３（Ａ））、第１領域ＳＳａ上の表示コンテンツＷ２上にドロップした（図１３（Ｂ））とする。そうすると、第２領域ＰＳａに表示されていたコンテンツＷＰ２は消去され、コンテンツＷＰは、表示コンテンツＷ２として、第１領域ＳＳａに表示される（図１３（Ｃ））。このとき、今まで表示コンテンツＷ２として表示されていたコンテンツＷＰ３は、第２領域ＰＳａに表示される（図１３（Ｃ））。このとき、画像供給装置１００ａの第１領域ＳＳａと、プロジェクタ投影画像、および、第２の画像供給装置１００ｂの第１領域ＳＳｂとは、常に同期して同様の内容を表示する。すなわち、プロジェクタ投影画像および第１領域ＳＳｂでは、表示コンテンツＷ１として表示されていたコンテンツが、コンテンツＷＰ３からコンテンツＷＰ２に入れ替わる。
【００４０】
図１４は、プロジェクタ操作画面を用いた画像表示システム１の操作について説明する第１０の図である。既に２つの表示コンテンツＷ１、Ｗ２が第１領域ＳＳａおよびプロジェクタ投影画像に表示されている場合、第１の画像供給装置１００ａのプロジェクタ操作画面では、他の画像供給装置（例えば、第２の画像供給装置１００ｂ）が選択した表示コンテンツ（グレーダウンまたは半透明状に表示されている表示コンテンツ）については、第２領域ＰＳに表示されているコンテンツと入れ替えることができない。例えば、第１領域ＳＳａに第１の画像供給装置１００ａ自身が選択した表示コンテンツＷ２と、他の画像供給装置（例えば、第２の画像供給装置１００ｂ）が選択した表示コンテンツＷ１とが表示されているとする（図１４（Ａ））。この状態から、利用者がカーソルＡＡａを操作して、第２領域ＰＳａ上のコンテンツＷＰ２をドラッグして（図１４（Ａ））、第１領域ＳＳａ上の表示コンテンツＷ１上にドロップした（図１４（Ｂ））とする。そうすると、コンテンツＷＰ２は、第２領域ＰＳａ上に戻り、第１領域ＳＳａには、変化は起きない（図１４（Ｃ））。このとき、画像供給装置１００ａの第１領域ＳＳａと、プロジェクタ投影画像、および、第２の画像供給装置１００ｂの第１領域ＳＳｂとは、常に同期して同様の内容を表示するので、プロジェクタ投影画像および第１領域ＳＳｂにも変化は起きない。
【００４１】
以上説明した第１実施例によれば、複数の画像供給装置１００の表示コンテンツを画像表示装置２００によりプロジェクタ投影画像を分割して投影できる画像表示システム１において、投影場所の決定、投影場所の移動、投影する表示コンテンツの入れ替え、投影する表示コンテンツの追加および消去を、利用者は、直感的で解りやすい操作で行うことができる。また、利用者は、第１領域ＳＳａにおいて、自身が選択した表示コンテンツの内容を編集できるので便利である。
【００４２】
Ｂ．第２実施例：
図１５は、第２実施例における画像表示システムの概略構成を示す説明図である。第２実施例における画像表示システム１Ａは、２つの画像表示装置２００ａ、２００ｂと、４つの画像供給装置１００ａ〜１００ｄを備えている。本実施例では、プロジェクタ投影画像には、図１５に示すように最大４つの表示コンテンツＷ１〜Ｗ４を表示することができる。図示は省略するが、各画像供給装置１００ａ〜１００ｄのプロジェクタ操作画面において、第１領域ＳＳａ〜ＳＳｂには、プロジェクタ操作画面と同期した画像が表示され、第１実施例と同様の直感的操作により、投影場所の決定、投影場所の移動、投影する表示コンテンツの入れ替え、投影する表示コンテンツの追加および消去を行うことができる。このように、画像表示システムにおいて、画像供給装置１００の数は、任意のＮ個（Ｎは２以上の自然数）とすることができる。また、画像表示装置２００の数は、任意のＫ個（Ｋは１以上の自然数）とすることができる。
【００４３】
Ｃ．変形例：
・第１変形例：
上記第１実施例では、最大２つまでの表示コンテンツＷ１、Ｗ２が表示可能であったが、これに限らず、任意の数の表示コンテンツを表示可能としても良い。図１６は、第１変形例におけるプロジェクタ操作画面の第１領域ＳＳａの概略を示す図である。第１変形例では、最大４つまでの表示コンテンツを表示可能である。１つの表示コンテンツＷ１を表示する場合には、第１領域ＳＳａおよびプロジェクタ投影画像の全体に表示コンテンツＷ１が表示される（図１６（Ａ））。さらに、この状態から表示コンテンツＷ２が追加されると、第１領域ＳＳａおよびプロジェクタ投影画像は、左右２等分に分割され、２等分割領域に表示コンテンツＷ１、Ｗ２が表示される（図１６（Ｂ））。さらに、この状態から表示コンテンツＷ３が追加されると、第１領域ＳＳａおよびプロジェクタ投影画像は、上下左右４等分に分割され、４つの４等分割領域のうちの３つに表示コンテンツＷ１、Ｗ２、Ｗ３が表示される（図１６（Ｃ））。さらに、この状態から表示コンテンツＷ４が追加されると、４つの４等分割領域のうちの４つに表示コンテンツＷ１、Ｗ２、Ｗ３、Ｗ４が表示される（図１６（Ｄ））。表示コンテンツが消去されると、逆に第１領域ＳＳａおよびプロジェクタ投影画像の分割数は減少していく。このように、選択されている表示コンテンツの数に応じて、第１領域ＳＳａおよびプロジェクタ投影画像の分割数を調整して、最も見やすい態様で表示コンテンツを表示しても良い。本変形例では、５つ以上の表示コンテンツを表示することができず、５つ以上の表示コンテンツを選択しようとすると、第１実施例と同様に表示コンテンツの入れ替えとなる。
【００４４】
・第２変形例：
上記実施例では、表示コンテンツの選択は、第２領域ＰＳから第１領域ＳＳへのコンテンツＷＰのドラッグアンドドロップで行われるがこれに限られない。例えば、第２領域ＰＳにおいて、コンテンツＷＰをダブルクリックすると、当該コンテンツＷＰが表示コンテンツとして選択されることとしても良い。ただし、ドラッグアンドドロップ操作によれば、コンテンツＷＰが表示コンテンツとして表示される第１領域ＳＳまたはプロジェクタ投影画像における表示場所を容易に指定できるという利点がある。
【００４５】
・第３変形例：
上記実施例では、表示コンテンツの選択の解除（第１領域ＳＳおよびプロジェクタ投影画像からの消去）は、第１領域ＳＳから第２領域ＰＳへの表示コンテンツのドラッグアンドドロップで行われるがこれに限られない。例えば、第１領域ＳＳにおいて、表示コンテンツをダブルクリックすると、表示コンテンツの選択が解除されることとしても良い。
【００４６】
・第４変形例：
上記実施例では、プロジェクタ操作画面において、第１領域ＳＳと第２領域ＰＳとが同時に表示されているが、これに代えて、利用者の操作により、第１領域ＳＳが表示部１６０に表示されるモードと、第２領域ＰＳが表示されるモードを切り換え可能としても良い。
【００４７】
・第５変形例：
上記実施例では、画像表示装置２００はプロジェクタであるが、これに代えて、他の種類の画像表示装置を採用しても良い。具体的には、液晶ディスプレイ、有機ＥＬディスプレイ、プラズマディスプレイ、プロジェクタを内蔵したリアプロジェクションディスプレイなどが採用され得る。
【００４８】
・第６変形例：
上記実施例において、ハードウエアによって実現されていた構成の一部をソフトウエアに置き換えても良く、逆にソフトウエアによって実現されていた構成の一部をハードウエアに置き換えても良い。
【００４９】
以上、本発明の実施例および変形例について説明したが、本発明はこれらの実施例および変形例になんら限定されるものではなく、その要旨を逸脱しない範囲内において種々の態様での実施が可能である。
【図面の簡単な説明】
【００５０】
【図１】第１実施例における画像表示システムの概略構成を示す説明図。
【図２】第１実施例における画像供給装置の内部構成を模式的に示すブロック図。
【図３】第１実施例における画像表示装置の内部構成を模式的に示すブロック図。
【図４】画像表示システムの動作時に表示される画像の概略を示す図。
【図５】画像表示システムの操作について説明する第１の図。
【図６】画像表示システムの操作について説明する第２の図。
【図７】画像表示システムの操作について説明する第３の図。
【図８】画像表示システムの操作について説明する第４の図。
【図９】画像表示システムの操作について説明する第５の図。
【図１０】画像表示システムの操作について説明する第６の図。
【図１１】画像表示システムの操作について説明する第７の図。
【図１２】画像表示システムの操作について説明する第８の図。
【図１３】画像表示システムの操作について説明する第９の図。
【図１４】画像表示システムの操作について説明する第１０の図。
【図１５】第２実施例における画像表示システムの概略構成を示す説明図。
【図１６】第１変形例におけるプロジェクタ操作画面の第１領域の概略を示す図。
【符号の説明】
【００５１】
１、１Ａ…画像表示システム、１００ａ〜１００ｄ…画像供給装置、１１０…ＣＰＵ、  １５０…操作部、１６０…表示部、１８０…バス、２００、２００ａ、２００ｂ…画像表示装置、２１０…ＣＰＵ、２５０…操作部、２６０…画像表示部、２７０…光学系、２９０…バス、３４０…画像表示部
【図１】
2010026053.tif 000003
【図２】
2010026053.tif 000004
【図３】
2010026053.tif 000005
【図４】
2010026053.tif 000006
【図５】
2010026053.tif 000007
【図６】
2010026053.tif 000008
【図７】
2010026053.tif 000009
【図８】
2010026053.tif 000010
【図９】
2010026053.tif 000011
【図１０】
2010026053.tif 000012
【図１１】
2010026053.tif 000013
【図１２】
2010026053.tif 000014
【図１３】
2010026053.tif 000015
【図１４】
2010026053.tif 000016
【図１５】
2010026053.tif 000017
【図１６】
2010026053.tif 000018